(57)【要約】   本発明は、列に沿って植えられている植物に散水する灌漑用水滴導管と共に使用される灌漑装置を開示する。本発明の灌漑装置は、灌漑用水滴導管を支持する支持構造を有する灌漑水分配装置と、複数の灌漑水方向付け装置とからなり、前記灌漑用水滴導管からの水が、前記灌漑水分配装置により集められ、前記複数の灌漑水方向付け装置が、前記水を分配ポイントに流す。本発明の灌漑水分配装置は、少なくとも３つの態様を採る。第１の態様においては、本発明の灌漑水分配装置は、植物の植えられた列の間に配置されて、少なくとも１つの水流トラフと、所定の間隔（植物の間の間隔に等しい）で配置されこの水流トラフから出る複数の出口水路とから構成され、個々の植物に水流トラフから灌漑水を流す。第２の態様においては、本発明の灌漑水分配装置は、植物の植えられた列の上に配置されて、水が流れ込む各穀物プラント用開口を具備する。第３の態様においては、本発明の灌漑水分配装置は、グランドカバーとして形成される。このグランドカバーは、個々の植物の生長空間を提供する複数の開口を有する。
2009532016.tif 000002
【特許請求の範囲】
【請求項１】
列に沿って植えられている植物に散水する灌漑用水滴導管と共に使用される灌漑装置において、
（Ａ）  灌漑用水滴導管を支持する支持構造を有する灌漑水分配装置と、
（Ｂ）  複数の灌漑水方向付け装置と
からなり、
前記灌漑用水滴導管からの水が、前記灌漑水分配装置により集められ、
前記複数の灌漑水方向付け装置が、前記水を分配ポイントに流す
ことを特徴とする灌漑用水滴導管と共に使用される灌漑装置。
【請求項２】
（Ｃ）  天然水分収集トラフ
をさらに有する
ことを特徴とする請求項１記載の灌漑装置。
【請求項３】
前記灌漑水分配装置は、前記植物の列の間に配置される
ことを特徴とする請求項１記載の装置。
【請求項４】
前記灌漑用水滴導管を支持する支持構造は、流路トラフとして形成され、
前記複数の灌漑水方向付け装置は、前記流路トラフから横方向に延びる複数の下側に傾斜した出口流路として形成され、
前記流路トラフの底面は、複数の高位点を有し、
前記複数の高位点は、前記複数の出口流路の間に配置され、
前記流路トラフの底面は、前記出口流路に対応する位置に複数の低位点を有し、
前記複数の高位点の間の前記流路トラフ内に流れる水は、前記高位点の間にある前記複数の低位点の１つに流れる
ことを特徴とする請求項３記載の灌漑装置。
【請求項５】
前記天然水分収集トラフは、前記流路トラフから外側に延びる下側に傾斜した表面として形成される
ことを特徴とする請求項３記載の灌漑装置。
【請求項６】
前記下側に傾斜した表面は、前記下側に傾斜した表面の周辺エッジ上に隆起リップを具備する
ことを特徴とする請求項５記載の灌漑装置。
【請求項７】
前記下側に傾斜した表面は、前記下側に傾斜した表面の周辺エッジに隣接して形成される天然水収集トラフを具備する
ことを特徴とする請求項５記載の灌漑装置。
【請求項８】
（Ｄ）  前記下側に傾斜した表面の周辺エッジから外側に延びる上側に傾斜した表面
をさらに有し、
前記上側に傾斜した表面上に集められた霧は、前記下側に傾斜した表面の周辺エッジの方向に流れる
ことを特徴とする請求項５記載の灌漑装置。
【請求項９】
前記灌漑水分配装置は、植物の列の上に配置される
ことを特徴とする請求項１記載の灌漑装置。
【請求項１０】
前記複数の灌漑水方向付け装置は、相互に接続された一連の下側に傾斜した表面ファネルと植物が伸びる開口を提供する各表面ファネルの開口として形成される
ことを特徴とする請求項８記載の灌漑装置。
【請求項１１】
前記灌漑水分配装置は、植物が生長するスペースを提供する複数の開口を有するグランドカバーとして構成される
ことを特徴とする請求項１記載の灌漑装置。
【請求項１２】
前記灌漑用水滴導管を支持する支持構造は、流路トラフとして形成され、
前記複数の灌漑水方向付け装置は、前記流路トラフから横方向に延びる複数の下側に傾斜した出口流路として形成され、
前記グランドカバーは、前記出口流路からの水を、前記グランドカバーに形成された複数の植物成長用開口領域に流す複数の傾斜表面を具備する
ことを特徴とする請求項１１記載の灌漑装置。
【請求項１３】
前記グランドカバーは、植物の開口領域からなるの３個の列を有し、
各列は、前記水流トラフで、隣接する列から離間される
ことを特徴とする請求項１２記載の灌漑装置。
【請求項１４】
前記グランドカバーは、前記植物の開口領域からなるの３個の列の外側の１つの列を超えて延び、
前記グランドカバーは、天然水分を前記植物開口領域に流すよう構成された内側に傾斜した天然水分収集表面を有する
ことを特徴とする請求項１２記載の灌漑装置。
【請求項１５】
前記灌漑水分配装置は、前記灌漑水分配装置と一体に形成された灌漑用水滴導管を具備する
ことを特徴とする請求項１記載の灌漑装置。
【請求項１６】
（ａ）  水供給源に接続され、中を流れる水流を制御する灌漑用水滴導管と、
（ｂ）  前記灌漑用水滴導管を支持する支持構造を有する灌漑水分配装置と、
前記灌漑水分配装置は、前記灌漑用水滴導管により放出された水を収集し、
（ｃ）  前記灌漑水分配装置に構成された複数の灌漑水方向付け装置と
前記灌漑水分配装置により収集された水は、前記複数の灌漑水方向付け装置により、植物に近接して配置された分配ポイントに流される
ことを特徴とする灌漑システム。
【請求項１７】
（ａ）  水供給源に接続され、中を流れる水流を制御する灌漑用水滴導管を用意するステップと、
（ｂ）  前記灌漑用水滴導管を支持する支持構造を有する灌漑水分配装置を用意するステップと、
前記灌漑水分配装置は、前記灌漑用水滴導管により放出された水を収集し、
（ｃ）  前記灌漑水分配装置に複数の灌漑水方向付け装置を用意するステップと、
前記灌漑水分配装置により収集された水は、前記複数の灌漑水方向付け装置により、前記各複数の灌漑水方向付け装置は、灌漑水を所望の分配ポイントの１つに流し、前記各分配ポイントは、植物の１に近接しており、
（ｄ）  前記灌漑用水滴導管内に水を流すよう、前記水供給源を操作するステップと
を有する
ことを特徴とする列に植えられた植物の田畑を潅漑する方法。
【請求項１８】
（ｅ）  天然水分を収集し、前記天然水分を前記所望の分配ポイントに流すステップ
をさらに有する
ことを特徴とする請求項１７記載の方法。
【請求項１９】
（ｆ）  前記灌漑水分配装置を前記植物の列の間に配置するステップ
をさらに有する
ことを特徴とする請求項１７記載の方法。
【請求項２０】
（ｇ）  前記灌漑水分配装置を前記植物の列の上に配置するステップ
をさらに有する
ことを特徴とする請求項１７記載の方法。
【請求項２１】
前記灌漑水分配装置は、グランドカバーである
ことを特徴とする請求項１７記載の方法。
【発明の詳細な説明】
【技術分野】
【０００１】
本発明は、田畑を灌漑する装置に関し、特に、水の蒸発量を減らしながら田畑の植物にのみ灌漑水を提供する水滴灌漑システムに関する。
【背景技術】
【０００２】
田畑の灌漑は、穀物の生産性の重要なファクタである。灌漑水を制御することにより、より最適な植物の生長条件が形成維持され、一定の土地の穀物生産量を増すことができる。灌漑を行うには、水と灌漑装置とが必要である。水は、地球上ある地域では常に不足気味で、利用可能な水資源を最も有効且つ大切に利用することが好ましい。
【０００３】
植物の生長に直接関係しない土壌に水をやることは無駄である。無駄となる水の別の形態は、蒸発である。この蒸発は、気候、温度、相対湿度に依存して変わる。乾燥領域において、蒸発による水の損失は大きく、これにより、灌漑コストを上昇させ、最終的に植物の生産費用を増加させる。
【０００４】
さらに地球上の多くの場所において、自然に起こる露や雨のような天然水分の量は、適切に分配されれば、食物の生長には十分なものとなる。
【発明の開示】
【発明が解決しようとする課題】
【０００５】
蒸発による水分量を減らしながら、田畑の穀物植物にのみ水を提供するような灌漑システムが必要とされている。灌漑システムが天然水分を集め、それを必要な場所に流せれば、利点がある。
【課題を解決するための手段】
【０００６】
本発明は、蒸発による水分量を減らしながら、田畑の穀物植物にのみ水を提供するような灌漑システムである。
【０００７】
本発明の教示によれば、本発明の、列に沿って植えられている植物に散水する灌漑用水滴導管と共に使用される灌漑装置は、
（Ａ）  灌漑用水滴導管を支持する支持構造を有する灌漑水分配装置と、
（Ｂ）  複数の灌漑水方向付け装置と
からなり、
前記灌漑用水滴導管からの水が、前記灌漑水分配装置により集められ、
前記複数の灌漑水方向付け装置が、前記水を分配ポイントに流す。
【０００８】
本発明の教示によれば、本発明の灌漑装置は、（Ｃ）  天然水分収集トラフをさらに有する。
【０００９】
本発明の教示によれば、前記灌漑水分配装置は、前記植物の列の間に配置される。
【００１０】
本発明の教示によれば、前記灌漑用水滴導管を支持する支持構造は、流路トラフとして形成され、前記複数の灌漑水方向付け装置は、前記流路トラフから横方向に延びる複数の下側に傾斜した出口流路として形成され、前記流路トラフの底面は、複数の高位点を有し、前記複数の高位点は、前記複数の出口流路の間に配置され、前記流路トラフの底面は、前記出口流路に対応する位置に複数の低位点を有し、前記複数の高位点の間の前記流路トラフ内に流れる水は、前記高位点の間にある前記複数の低位点の１つに流れる。
【００１１】
本発明の教示によれば、前記天然水分収集トラフは、前記流路トラフから外側に延びる下側に傾斜した表面として形成される。
【００１２】
本発明の教示によれば、前記下側に傾斜した表面は、前記下側に傾斜した表面の周辺エッジ上に隆起リップを具備する。
【００１３】
本発明の教示によれば、前記下側に傾斜した表面は、前記下側に傾斜した表面の周辺エッジに隣接して形成される天然水収集トラフを具備する。
【００１４】
本発明の教示によれば、本発明の灌漑装置は、（Ｄ）  前記下側に傾斜した表面の周辺エッジから外側に延びる上側に傾斜した表面をさらに有し、前記上側に傾斜した表面上に集められた霧は、前記下側に傾斜した表面の周辺エッジの方向に流れる。
【００１５】
本発明の教示によれば、前記灌漑水分配装置は、植物の列の上に配置される。
【００１６】
本発明の教示によれば、前記複数の灌漑水方向付け装置は、相互に接続された一連の下側に傾斜した表面ファネルと植物が伸びる開口を提供する各表面ファネルの開口として形成される。
【００１７】
本発明の教示によれば、前記灌漑水分配装置は、植物が生長するスペースを提供する複数の開口を有するグランドカバーとして構成される。
【００１８】
本発明の教示によれば、前記灌漑用水滴導管を支持する支持構造は、流路トラフとして形成され、前記複数の灌漑水方向付け装置は、前記流路トラフから横方向に延びる複数の下側に傾斜した出口流路として形成され、前記グランドカバーは、前記出口流路からの水を、前記グランドカバーに形成された複数の植物成長用開口領域に流す複数の傾斜表面を具備する。
【００１９】
本発明の教示によれば、前記グランドカバーは、植物の開口領域からなるの３個の列を有し、各列は、前記水流トラフで、隣接する列から離間される。
【００２０】
本発明の教示によれば、前記グランドカバーは、前記植物の開口領域からなるの３個の列の外側の１つの列を超えて延び、前記グランドカバーは、天然水分を前記植物開口領域に流すよう構成された内側に傾斜した天然水分収集表面を有する。
【００２１】
本発明の教示によれば、前記灌漑水分配装置は、前記灌漑水分配装置と一体に形成された灌漑用水滴導管を具備する。
【００２２】
本発明の教示によれば、本発明の灌漑システムは、
（ａ）  水供給源に接続され、中を流れる水流を制御する灌漑用水滴導管と、
（ｂ）  前記灌漑用水滴導管を支持する支持構造を有する灌漑水分配装置と、
前記灌漑水分配装置は、前記灌漑用水滴導管により放出された水を収集し、
（ｃ）  前記灌漑水分配装置に構成された複数の灌漑水方向付け装置と
前記灌漑水分配装置により収集された水は、前記複数の灌漑水方向付け装置により、植物に近接して配置された分配ポイントに流される。
【００２３】
本発明の教示によれば、本発明の、列に植えられた植物の田畑を潅漑する方法は、
（ａ）  水供給源に接続され、中を流れる水流を制御する灌漑用水滴導管を用意するステップと、
（ｂ）  前記灌漑用水滴導管を支持する支持構造を有する灌漑水分配装置を用意するステップと、
前記灌漑水分配装置は、前記灌漑用水滴導管により放出された水を収集し、
（ｃ）  前記灌漑水分配装置に複数の灌漑水方向付け装置を用意するステップと、
前記灌漑水分配装置により収集された水は、前記複数の灌漑水方向付け装置により、前記各複数の灌漑水方向付け装置は、灌漑水を所望の分配ポイントの１つに流し、前記各分配ポイントは、植物の１に近接しており、
（ｄ）  前記灌漑用水滴導管内に水を流すよう、前記水供給源を操作するステップと
を有する。
【００２４】
本発明の教示によれば、本発明の田畑を潅漑する方法は、（ｅ）  天然水分を収集し、前記天然水分を前記所望の分配ポイントに流すステップをさらに有する。
【００２５】
本発明の教示によれば、本発明の田畑を潅漑する方法は、（ｆ）  前記灌漑水分配装置を前記植物の列の間に配置するステップをさらに有する。
【００２６】
本発明の教示によれば、本発明の田畑を潅漑する方法は、（ｇ）  前記灌漑水分配装置を前記植物の列の上に配置するステップをさらに有する。
【００２７】
本発明の教示によれば、前記灌漑水分配装置は、グランドカバーである。
【実施例】
【００２８】
本発明は、田畑の灌漑装置であり、特に水の蒸発量を減らしながら、田畑の植物にのみ撒水する灌漑システムである。
【００２９】
本発明の灌漑システムの原理と動作を図面を参照して、以下説明する。
【００３０】
本発明の灌漑システムは、田畑を灌漑するために用いられ、灌漑用水滴導管（例えばパイプまたはホース）から出た水を個々の植物の近傍にのみ撒水し、従来方法よりも水の使用量を減らす。さらに、同量の水を灌漑されている植物に与えることができる。地球上の多くの場所において、自然に降る露や雨のような天然水分の量は、適切に分配されれば、植物の生長には十分なものである。それ故に、本発明の灌漑要素は、天然水分を集め、撒水するために用いられる。植物の生長時期では、天然水分の量だけで植物の生長を維持するのに十分である。余分の水を灌漑用水滴導管で提供する必要はない。これにより、使用される灌漑水の量を減らし、水を節約できる。本発明の灌漑要素は、従来の灌漑システムよりも大きな利点がある。
【００３１】
本発明の田畑に撒水する装置は、最も水を必要とする場所すなわち植物の根本付近あるいは植物のベースに水を分配する装置を含む。好ましくは、灌漑は、夜間あるいは土壌が最も水を吸収し蒸発量の少ない時に行われる。水滴が、灌漑装置から植物のベース近傍に流れる。本発明のプロセスでは、多くの水が、散水、蒸発あるいは植物のない場所を濡らすことにより、失われることはない。この本発明の装置の別の利点は、草、土壌を涸らす雑草、あるいは土壌内の栄養分を減らすような雑草が、生き残るのが困難となることである。その理由は、灌漑される植物の間には、撒水されないからである。
【００３２】
完全な灌漑システムを提供するためには、本発明の灌漑システムの構成要素は、従来公知の灌漑用水滴導管と組み合わされ、および公知の水流制御手段が本発明の灌漑システム内に組み込まれて、システムを通る水を流しり止めたりできる。別の構成として、本発明の灌漑システムは、灌漑用水滴導管と一体に形成することもできる。
【００３３】
本発明の灌漑システムは、少なくとも３つの態様を採る。第１の態様においては、図１−７と図１２に記載したように、本発明の灌漑水分配装置は、植物の植えられた列の間に配置されて、少なくとも１つの水流トラフと、所定の間隔（植物の間の間隔に等しい）で配置されこの水流トラフから出る複数の出口水路とから構成され、個々の植物に水流トラフから灌漑水を流す。
【００３４】
第２の態様においては、図８、９に記載するように、本発明の灌漑水分配装置は、植物の植えられた列の上に配置されて、水が流れ込む各穀物プラント用開口を具備する。
【００３５】
第３の態様においては、図１０、１１に示すように、本発明の灌漑水分配装置は、グランドカバーとして形成される。このグランドカバーは、個々の植物の生長空間を提供する複数の開口を有する。
【００３６】
図１を参照して本発明の第１態様の灌漑水分配装置２の第１実施例を示す。この図１では、灌漑水分配装置は、穀物用植物が植えられた列の間に配置される。
【００３７】
本発明の灌漑水分配装置２は、平底３０と、流路トラフ４、６から構成される上部とを具備する。この流路トラフ４、６は、中央リッジ８により分離されている。これらの流路トラフ４、６は、水滴灌漑導管（図示せず）を支持しながら、灌漑水分配装置の要素として機能する。流路トラフ４、６から外側に下方傾斜面１０、１２が延びる。この下方傾斜面１０、１２内に複数の出口流路１４が形成される。各出口流路１４は、灌漑水分配装置２の両側にある列の植物５０の間の距離に対応する間隔で形成される。その結果、出口流路１４の分配点開口６６は、植物５０の近くに配置される。
【００３８】
灌漑水は、従来公知のドリップパイプ（図示せず）で本発明のシステムに提供される。１本のドリップパイプは、流路トラフ４、６内に配置される。各流路トラフ４、６は、流路トラフ４、６の底面２０が各出口流路１４の間に高位点２２を、各出口流路１４に対応する場所に低位点２４を有するように構成される。それ故に、ドリップパイプから２つの高位点２２の間の流路トラフ４、６内に流れ込む水は、低位点２４の方に流れ、２つの高位点２２の間の出口流路１４の方向に流れる。この構成により、ドリップ・パイプ内のドリップ穴の間隔は重要ではなく、同じドリップ・パイプも、本発明の灌漑水分配要素の様々な構成と共に使用できる。
【００３９】
本発明の第２の態様の灌漑水分配装置１００の第２実施例を図２−５に示す。この実施例の構成は、図１の実施例に類似し、それ故に、対応する要素には、１００を加えた参照番号で示す。例えば、図１に示す中央リッジは、図１では８で、図２−４では１０８である。
【００４０】
図２−５の実施例は、天然水分収集構造体を含む。この構造体は、下方傾斜面１１０、１１２と、この下方傾斜面１１０、１１２の周辺エッジ１６０上に形成される隆起リップ１６２とを有する。この隆起リップ１６２は、天然水分を集めるよう構成され、下方傾斜面１１０、１１２上に落ちたあるいは凝縮した雨、露等を集め、この天然水分を天然水収集トラフ１６４に沿って出口流路１１４の分配点開口１６６の１つの方向に流す。
【００４１】
この実施例の別の天然水分収集構造体を図４に示す。天然水分収集トラフ１７０、１７２の両方は、内側に傾斜した表面を有し、植物の隣接する列を超えて延びるよう配置され、集められた天然水分を列に植えられた植物の方に流す。この収集装置は、例えば天然水分収集トラフ１７０で天然水分を隆起リップ１６２の外側エッジに当てて流す。別の配置例は、天然水分収集トラフ１７２で示すように、天然水分を隆起リップ１６２を超えて天然水分収集トラフ１６４内に流し、分配点開口１６６の１つに流す。
【００４２】
図６、７の実施例は、灌漑水を一列の植物に提供するよう構成される。灌漑水分配装置２００は、流路トラフ２０６を有する。この流路トラフ２０６から複数の出口流路２１４が延びる。この出口流路２１４は、水を灌漑水分配装置２００の周辺エッジ２６０に構成された分配点開口２６６に流す。この実施例は、別の天然水分収集構造を示す。同図から分かるように、下方傾斜面２１２は、凹んだ天然水分トラフ２６４を有する。この天然水分トラフトラフ２６４は、天然水分を複数の出口流路２１４の１つの方向に流す。
【００４３】
図８、９は、本発明の第２態様の灌漑水分配要素の実施例を示す。この実施例においては、灌漑水分配要素が植物の列の上に配置される。この実施例の灌漑水分配装置３００は、複数の灌漑水方向付け装置３１０を具備する。この灌漑水方向付け装置３１０は、相互に接続された一連の下方傾斜ファネル（じょうご）として構成される。各ファネル（じょうご）の開口３２０は、そこから植物が伸びる穴を提供する。灌漑用水滴導管３３０は、支持部材３４０と、導管支持ノッチ３５２により支持される。この導管支持ノッチ３５２は、隆起部３５０に形成され、この隆起部３５０がファネル（じょうご）の形状の灌漑水方向付け装置３１０を分離する。このように構成されるために、灌漑用水滴導管３３０から出た水とファネル形状の灌漑水方向付け装置３１０の１つに落ちた天然水分は、開口３２０の方に更に植物の方に流れる。
【００４４】
図１０、１１は、本発明の第３の態様の灌漑システムの実施例を示す。この実施例は、複数の開口４９０を有するグランドカバー４００の形態で形成される。この開口４９０が個々の植物の生長領域を提供する。グランドカバー４００の一実施例は、植物用開口領域４９０を有する３つの列で構成される。各列は、灌漑用水滴導管４９２を支持する流路トラフ４０４により、互いに隣接する列から分けられる。下側に傾斜した複数の出口流路４１４は、流路トラフ４０４から横方向に延びる。グランドカバー４００は、傾斜面４８０ａ、４８０ｂを複数具備し、出口流路４１４からの水を複数の植物用開口領域４９０の方向に流す。グランドカバー４００は、天然水分収集構造、例えば下側に傾斜した表面４１０、４１２と天然水分収集装置４７０とを有する。この天然水分収集装置４７０は、植物用開口領域４９０の３つの列の内の外側の１つの列を超えて延びる。傾斜表面４１０、４１２、４７０は、天然水分を傾斜面４８０ａ、４８０ｂと／または植物用開口領域４９０の方向に流す。
【００４５】
上記したように、本発明の灌漑水分配要素のどの実施例も、水滴灌漑導管と一体に形成することもでき、これにより、灌漑水分配要素が配置された後、水滴灌漑導管を配置するために余分なコストと労働を必要としないようにできる。図１２は、図２の実施例に類似した本発明の灌漑水分配装置５００の実施例を示す。図１２において、図２の流路トラフ１０４、１０６は、灌漑用水滴導管５０４で置換される。この灌漑用水滴導管５０４は、灌漑水分配装置５００のベース５８６と一体に形成される。水滴灌漑ノズル５８８は、出口流路５１４に対応する灌漑用水滴導管５０４内に配置される。
【００４６】
本発明の灌漑水配装置は、他の類似の装置と相互接続するような構成要素として提供することもできる。その結果、灌漑水を分配する１本の列は、本発明の灌漑水分配要素の複数から形成される。部分構成として、本発明の灌漑水分配装置は、貯蔵と運送用に巻き上げ可能な連続する要素（例、ホース）で構成し、田畑でそれを拡げて配置するようみもできる。このような構成においては、灌漑水分配装置の１本の列は、灌漑水分配装置の１本の長さのものから形成することができる。
【００４７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００４８】
【図１】本発明の第１の灌漑システムの第１実施例の斜視図。
【図２】本発明の第１の灌漑システムの第２実施例の斜視図。
【図３】図２の第２実施例の詳細図。
【図４】図２の第２実施例の天然水分収集要素を表す断面図。
【図５】図２の第２実施例の天然水分収集要素右半分を表す断面図。
【図６】本発明の第１の灌漑システムの第３実施例の長さ方向の上部展開図。
【図７】図６の線７−７に沿った断面図。
【図８】本発明の第２の灌漑システムの一実施例の長さ方向の上部展開図。
【図９】図８の線９−９に沿った断面図。
【図１０】本発明の第３の灌漑システムの一実施例の長さ方向の上部展開図。
【図１１】図１０の線１１−１１に沿った断面図。
【図１２】図２の実施例の斜視図で、水滴灌漑導管が水分配要素のベースと一体に形成されている図。
【符号の説明】
【００４９】
２    灌漑水分配装置
４，６  流路トラフ
８  中央リッジ
１０，１２  下方傾斜面
１４  出口流路
２０  底面
２２  高位点
２４  低位点
３０  平底
５０  植物
６６  分配点開口
１００  灌漑水分配装置
１０４，１０６  流路トラフ
１０８  中央隆起部
１１０，１１２  下方傾斜面
１１４  出口流路
１６０  周辺エッジ
１６２  隆起リップ
１６４  天然水分収集トラフ
１６６  分配点開口
１７０，１７２  天然水分収集トラフ
２００  灌漑水分配装置
２０６  流路トラフ
２１２  下方傾斜面
２１４  出口流路
２６０  周辺エッジ
２６４  天然水分収集トラフ
２６６  分配点開口
３００  灌漑水分配装置
３１０  灌漑水方向付け装置
３２０  開口
３３０  灌漑用水滴導管
３４０  支持部材
３５０  隆起部
３５２  導管支持ノッチ
４００  グランドカバー
４０４  流路トラフ
４１０，４１２，４７０  表面
４１４  出口流路
４７０  天然水分収集装置
４８０ａ，４８０ｂ  傾斜面
４９０  植物用開口領域
４９２  灌漑用水滴導管
５００  灌漑水分配装置
５０４  灌漑用水滴導管
５１４  出口流路
５８６  ベース
５８８  水滴灌漑ノズル
【図１】
2009532016.tif 000003
【図２】
2009532016.tif 000004
【図３】
2009532016.tif 000005
【図４】
2009532016.tif 000006
【図５】
2009532016.tif 000007
【図６】
2009532016.tif 000008
【図７】
2009532016.tif 000009
【図８】
2009532016.tif 000010
【図９】
2009532016.tif 000011
【図１０】
2009532016.tif 000012
【図１１】
2009532016.tif 000013
【図１２】
2009532016.tif 000014
【国際調査報告】
2009532016.tif 000015